(57)【要約】【課題】コントラストの高い映像光を出射する透過型スクリーンの提供。【解決手段】透過型スクリーンであって、映像光を入射させる入射面に平面的に配列して設けられ、透過型スクリーンの出射面近傍に焦点を有する複数の単レンズと、複数の単レンズ同士が隣接するレンズ境界に形成され、レンズ境界に入射する映像光を遮断する入射側遮光層と、透過型スクリーンの出射面近傍において、複数の単レンズのそれぞれの焦点の近傍に、単レンズの光軸を中心とする開口が形成された出射側遮光層とを備える。【選択図】図３
2006163263.tif 000002
【特許請求の範囲】
【請求項１】
映像光を透過させる透過型スクリーンであって、
前記映像光を入射させる入射面に平面的に配列して設けられ、前記透過型スクリーンの出射面近傍に焦点を有する複数の単レンズと、
前記複数の単レンズ同士が隣接するレンズ境界に形成され、前記レンズ境界に入射する映像光を遮断する入射側遮光層と、
前記透過型スクリーンの前記出射面近傍において、前記複数の単レンズのそれぞれの焦点の近傍に、前記単レンズの光軸を中心とする開口が形成された出射側遮光層と
を備える透過型スクリーン。
【請求項２】
前記複数の単レンズは、互いに隙間無く配列されており、
前記入射側遮光層は、前記レンズ境界において前記単レンズの光軸方向から見て一様な幅で形成されている請求項１に記載の透過型スクリーン。
【請求項３】
前記レンズ境界は、前記単レンズの光軸と平行な側壁と、前記側壁に対して垂直な底部とを有し、前記入射側遮光層は、前記底部及び側壁の内側に堆積して形成されている、請求項１に記載の透過型スクリーン。
【請求項４】
映像光を透過させる透過型スクリーンであって、
前記映像光の光源から観察者側に向かって順に、前記映像光をコリメートするフレネルレンズと、コリメートされた前記映像光を拡散するレンズアレイとを備え、
前記レンズアレイは、
コリメートされた前記映像光を入射させる入射面に平面的に配列して設けられ、前記レンズアレイの出射面近傍に焦点を有する複数の単レンズと、
前記複数の単レンズ同士が隣接するレンズ境界に形成され、前記レンズ境界に入射する映像光を遮断する入射側遮光層と、
前記レンズアレイの前記出射面近傍において、前記複数の単レンズのそれぞれの焦点の近傍に、前記単レンズの光軸を中心とする開口が形成された出射側遮光層と
を有する、透過型スクリーン。
【請求項５】
複数の単レンズを有する透過型スクリーンの生産方法であって、
透明基材の一方の面に、前記透明基材の他方の面の近傍に焦点を有する複数の単レンズを成形する工程と、
前記複数の単レンズ同士が隣接するレンズ境界に遮光性インクを充填することにより、前記レンズ境界に入射する光を遮断する入射側遮光層を形成する工程と、
前記透明基材の前記単レンズと反対側の面に、未硬化の紫外線硬化性樹脂を形成する工程と、
前記単レンズのレンズ面から、前記単レンズの光軸に略平行な紫外光を入射させることにより、前記複数の単レンズのそれぞれの焦点近傍に位置する前記紫外線硬化性樹脂を硬化させる露光工程と、
前記紫外線硬化性樹脂の未硬化部分に出射側遮光層のパターンを形成する工程と
を備える透過型スクリーンの生産方法。
【請求項６】
前記単レンズの光軸方向から見た前記入射側遮光層の範囲が所定の範囲となるように、前記透過型スクリーンと前記遮光性インクの濡れ性を調節する工程を更に備える、請求項５に記載の透過型スクリーンの生産方法。
【請求項７】
複数の単レンズを有する透過型スクリーンの生産方法であって、
前記複数の単レンズを成形する雌型における、前記複数の単レンズ同士が隣接するレンズ境界を成形する部位に遮光剤を塗布する工程と、
前記遮光剤が塗布された前記雌型を用いて、透明基材の片面に前記複数の単レンズを成形し、前記レンズ境界に前記遮光剤を転写することにより、前記レンズ境界に入射する光を遮断する入射側遮光層を形成する工程と、
前記透明基材の前記単レンズと反対側の面に、未硬化の紫外線硬化性樹脂を形成する工程と、
前記単レンズのレンズ面から、前記単レンズの光軸に略平行な紫外光を入射させることにより、前記複数の単レンズのそれぞれの焦点近傍に位置する前記紫外線硬化性樹脂を硬化させる露光工程と、
前記紫外線硬化性樹脂の未硬化部分に出射側遮光層のパターンを形成する工程と
を備える透過型スクリーンの生産方法。
【発明の詳細な説明】
【技術分野】
【０００１】
本発明は、透過型スクリーン、及び透過型スクリーンの生産方法に関する。
【背景技術】
【０００２】
従来、映像光を透過させる透過型スクリーンとして、映像光を拡散するレンズアレイが用いられる。このレンズアレイは、映像光の入射側に複数の単レンズを有し、観察者側に各単レンズの焦点を中心とした複数の開口が形成された遮光層（以下、ブラックマトリクスと呼ぶ）とを有する。観察者側に設けられたブラックマトリクスは、単レンズによって集光された映像光を開口から出射させると共に、観察者側から入射する外光の大部分を吸収する。これにより、映像光のコントラストを向上するという効果を有する。
【０００３】
ブラックマトリクスを形成するには、単レンズの集光作用を利用するセルフアライメント法が用いられる。セルフアライメント法は、単レンズの観察者側に積層する未硬化の紫外線硬化性樹脂に対して、単レンズの光源側から平行な紫外光を入射させて焦点付近の樹脂を選択的に硬化させ、焦点付近を除く範囲に遮光層を形成する（例えば、特許文献１を参照。）。
【特許文献１】特開２００４−２９４０２号公報
【発明の開示】
【発明が解決しようとする課題】
【０００４】
しかしながら、従来の透過型スクリーンにおいては、単レンズ同士の境界部に入射する映像光が単レンズの焦点に集光されることなく迷光になり、映像光のコントラストを低下させるという課題があった。また、レンズアレイを生産する場合に、単レンズの境界部に入射する紫外光が焦点付近の紫外線硬化性樹脂を露光する場合のコントラストを悪化させ、結果的にブラックマトリクスの形状精度を悪化させるという課題があった。
【０００５】
そこで本発明は、上記の課題を解決する透過型スクリーンを提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決することを目的として、本発明の第１の形態によれば、映像光を透過させる透過型スクリーンであって、映像光を入射させる入射面に平面的に配列して設けられ、透過型スクリーンの出射面近傍に焦点を有する複数の単レンズと、複数の単レンズ同士が隣接するレンズ境界に形成され、レンズ境界に入射する映像光を遮断する入射側遮光層と、透過型スクリーンの出射面近傍において、複数の単レンズのそれぞれの焦点の近傍に、単レンズの光軸を中心とする開口が形成された出射側遮光層とを備える透過型スクリーンが提供される。これにより、入射側遮光層がレンズ境界への光の入射を防止するので迷光を低減することができる。従って、コントラストの高い映像光を出射することができる。
【０００７】
上記のレンズアレイにおいて、複数の単レンズは、互いに隙間無く配列されており、入射側遮光層は、レンズ境界において単レンズの光軸方向から見て一様な幅で形成されている。これにより、レンズ境界の面積が狭められ、映像光の透過率を向上することができる。
【０００８】
上記の透過型スクリーンにおいて、レンズ境界は、単レンズの光軸と平行な側壁と、側壁に対して垂直な底部とを有し、入射側遮光層は、底部及び側壁の内側に堆積して形成されていてもよい。これにより、光軸方向に関する側壁の高さの範囲内で入射側遮光層の厚みがばらついても、光軸方向から見た入射側遮光層の幅が変化しない。従って、光源側から見た単レンズの開口率の精度が高まり、フライアイレンズの光透過率のばらつきが少ないという効果を奏する。
【０００９】
本発明の第２の形態によれば、映像光を透過させる透過型スクリーンであって、映像光の光源から観察者側に向かって順に、映像光をコリメートするフレネルレンズと、コリメートされた映像光を拡散するレンズアレイとを備え、レンズアレイは、コリメートされた映像光を入射させる入射面に平面的に配列して設けられ、レンズアレイの出射面近傍に焦点を有する複数の単レンズと、複数の単レンズ同士が隣接するレンズ境界に形成され、レンズ境界に入射する映像光を遮断する入射側遮光層と、レンズアレイの出射面近傍において、複数の単レンズのそれぞれの焦点の近傍に、単レンズの光軸を中心とする開口が形成された出射側遮光層とを有する、透過型スクリーンが提供される。これにより、第１の形態と同様の効果を奏する。
【００１０】
本発明の第３の形態によれば、複数の単レンズを有する透過型スクリーンの生産方法であって、透明基材の一方の面に、透明基材の他方の面の近傍に焦点を有する複数の単レンズを成形する工程と、複数の単レンズ同士が隣接するレンズ境界に遮光性インクを充填することにより、レンズ境界に入射する光を遮断する入射側遮光層を形成する工程と、透明基材の単レンズと反対側の面に、未硬化の紫外線硬化性樹脂を形成する工程と、単レンズのレンズ面から、単レンズの光軸に略平行な紫外光を入射させることにより、複数の単レンズのそれぞれの焦点近傍に位置する紫外線硬化性樹脂を硬化させる露光工程と、紫外線硬化性樹脂の未硬化部分に出射側遮光層のパターンを形成する工程とを備える透過型スクリーンの生産方法が提供される。このような生産方法によれば、入射側遮光層がレンズ境界への紫外光の入射を防止するので露光時の迷光が低減し、光軸部分の粘着剤を高いコントラストで露光することができる。これにより、出射側遮光層の光透過部分（開口）と遮光部分とのコントラストを高めることができる。また、入射側遮光層がレンズ境界に入射する紫外光を遮蔽するので、粘着剤を露光する紫外光の直径が狭まり、出射側遮光層の開口サイズを縮小できる。これにより、出射側遮光層の開口率が低下し、外光の反射率が低減される。以上の作用により、映像光のコントラストが高い透過型スクリーンが生産できる。
【００１１】
上記の生産方法において、単レンズの光軸方向から見た入射側遮光層の範囲が所定の範囲になるように、レンズアレイと遮光性インクの濡れ性を調節する工程を更に備えてもよい。これにより、入射側遮光層の範囲を容易に管理できる。
【００１２】
本発明の第４の形態によれば、複数の単レンズを有する透過型スクリーンの生産方法であって、複数の単レンズを成形する雌型における、複数の単レンズ同士が隣接するレンズ境界を成形する部位に遮光剤を塗布する工程と、遮光剤が塗布された雌型を用いて、透明基材の片面に複数の単レンズを成形し、レンズ境界に遮光剤を転写することにより、レンズ境界に入射する光を遮断する入射側遮光層を形成する工程と、透明基材の単レンズと反対側の面に、未硬化の紫外線硬化性樹脂を形成する工程と、単レンズのレンズ面から、単レンズの光軸に略平行な紫外光を入射させることにより、複数の単レンズのそれぞれの焦点近傍に位置する紫外線硬化性樹脂を硬化させる露光工程と、紫外線硬化性樹脂の未硬化部分に出射側遮光層のパターンを形成する工程とを備える透過型スクリーンの生産方法が提供される。これにより、第３の形態と同様の効果を奏する。更に、遮光剤を雌型からレンズ境界に転写して入射側遮光層を形成するので、入射側遮光層の範囲が精度よく管理される。以上の作用により、映像光のコントラストが高い透過型スクリーンが生産できる。
【００１３】
なお、上記の発明の概要は、本発明の必要な特徴の全てを列挙したものではなく、これらの特徴群のサブコンビネーションもまた、発明となりうる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の一実施形態に係るリアプロジェクションディスプレイ８００の構成を示す。リアプロジェクションディスプレイ８００は、光学エンジン７００と、鏡６００と、スクリーン５００とを備える。光学エンジン７００から出力された映像光は鏡６００で反射され、スクリーン５００に入射する。スクリーン５００は、入射した映像光を拡散させて観察者側に出射することにより、適切な視野角を実現する。スクリーン５００は、本発明の透過型スクリーンの一例である。
【００１６】
図２は、図１のスクリーン５００におけるＡ部の詳細な構成を示す。スクリーン５００は、フレネルレンズ２００、フライアイレンズ１００、及び前面板３００を有する。フレネルレンズ２００は、光学エンジン７００から出射された光の進行方向をフライアイレンズ１００の光軸方向にそろえる。フライアイレンズ１００は、映像光を入射させる入射面に複数の単レンズ１０を平面的に配列して備え、入射した光を単レンズ１０で拡散して出射する。前面板３００は、フライアイレンズ１００を保護すると共に、表面に施されたＡＲコートなどのアンチグレア処理により外光の反射を低減する。前面板３００は、スクリーン５００の機能上、必ずしも必要ではない。フライアイレンズ１００は、本発明の透過型スクリーンの一例である。
【００１７】
図３は、フライアイレンズ１００の構成の例を示す断面図である。フライアイレンズ１００は、単レンズ１０、基材４０、出射側遮光層２０、及び入射側遮光層３０を備える。複数の単レンズ１０は、基材４０における映像光を入射させる面に平面的に配列して設けられる。入射側遮光層３０は、複数の単レンズ１０同士が隣接するレンズ境界に形成されている。出射側遮光層２０は、基材４０を基準として複数の単レンズ１０と反対側に設けられている。単レンズ１０の光軸方向に関する出射側遮光層２０の位置は、複数の単レンズ１０の焦点の近傍である。出射側遮光層２０には、単レンズ１０の光軸を中心とする複数の開口部２２が形成されている。単レンズ１０の光軸と垂直な方向に関する入射側遮光層３０の幅は、レンズピッチの１０分の１程度が適当である。例えば、本図に示すフライアイレンズ１００のレンズピッチは約５０μｍ、入射側遮光層３０の幅は約５μｍである。一方、単レンズ１０の光軸方向に関する、入射側遮光層３０の高さ（深さ）は入射側遮光層３０の幅と、レンズ境界の断面形状によって決まる。例えば、本図の例における単レンズ１０の高さは約３０μｍ、入射側遮光層３０の高さ（深さ）は約１５μｍである。
【００１８】
ここで、本実施形態の迷光入射側遮光層３０は、レンズ境界に入射しようとする光を遮蔽する。これにより、開口部２２から観察者側に出射する迷光を低減することができる。従って、フライアイレンズ１００は、コントラストの高い映像光を出射することができる。
【００１９】
図４は、入射側遮光層３０の断面形状の他の例を示す。本実施例のフライアイレンズ１００は、レンズ境界が、基材４０に対して略垂直、すなわち単レンズ１０の光軸と平行な側壁１４と、側壁１４に対して略垂直な底部１５とを有する点で、図３に示した実施例と異なる。入射側遮光層３０は、底部１５及び側壁１４の内側に堆積して形成されている。この場合、光軸方向に関する側壁１４の高さの範囲内で入射側遮光層３０の厚みがばらついても、光軸方向から見た入射側遮光層３０の幅が変化しない。従って、光源側から見た単レンズ１０の開口率の精度が高まり、フライアイレンズ１００の光透過率のばらつきが少ないという効果を奏する。
【００２０】
図５は、フライアイレンズ１００ａの入射側遮光層３０の平面形状を示す。本実施例の入射側遮光層３０は、基材４０と平行な平坦面をなす。３つの単レンズ１０に囲まれた領域における入射側遮光層３０は、２つの単レンズ１０が最も接近している部分の入射側遮光層３０よりも幅が広い。本実施例のフライアイレンズ１００ａは単レンズ１０の開口形状が円形なので、映像光をあらゆる方向に均等に拡散するという効果を有する。
【００２１】
図６及び図７は、フライアイレンズ１００の他の実施例を示す。図６は、フライアイレンズ１００ｂの入射側遮光層３０の平面形状を示す。図７は、図６に示したフライアイレンズ１００ｂの斜視図である。本実施例のフライアイレンズ１００ｂにおいて、複数の単レンズ１０は、互いに隙間無く配列されている。すなわち、単レンズ１０は、３以上の単レンズ１０が一点で接するように配列されている。この場合、３以上の単レンズ１０が一点で接しているレンズ境界は、光軸方向に関するレンズ深さがレンズ頂点から最も深い位置にある。そしてレンズ境界は、２つの単レンズ１０が最も接近しているレンズ境界を頂点とするアーチ状のカーブを描く。このような形状をなすレンズ境界において、入射側遮光層３０は、単レンズ１０の光軸方向から見てほぼ一様な幅で形成されている。本実施例によれば、図５に示した実施例よりも、光源方向から見た場合のフライアイレンズ１００の開口率が高まり、映像光の透過率を向上することができる。
【００２２】
図８（Ａ、Ｂ、Ｃ、Ｄ）は、フライアイレンズ１００の生産方法の一例を示す。フライアイレンズ１００の生産方法は、レンズ成形工程、入射側遮光層形成工程、及び出射側遮光層形成工程を備える。まず、公知のレンズ成形工程で、透明な基材４０の片面に複数の単レンズ１０を成形する。例えば、未硬化の紫外線硬化性樹脂を単レンズ１０の雌型に充填し、その上に基材４０を載せて紫外線を照射することにより、基材４０の片面に複数の硬化した単レンズ１０が成形される。
【００２３】
次に、入射側遮光層形成工程において、複数の単レンズ同士が隣接するレンズ境界に遮光性インクを充填する。この様子を図８Ａに示す。入射側遮光層形成工程では、例えば、フライアイレンズ１００を支持するテーブルを回転させながら、単レンズ１０の上方からディスペンサ３４で遮光性インク３２を垂らす。余分な遮光性インク３２は、遠心力によりフライアイレンズ１００の外側へ除去される。あるいは、遠心力により余分な遮光性インク３２を排出する代わりに、テーブルを介してフライアイレンズ１００を振動させることにより、余分な遮光性インク３２をレンズ境界から排出してもよい。遮光性インク３２は、単レンズ１０のレンズ境界における毛細管現象により、フライアイレンズ１００全体のレンズ境界に行き渡る。この後、遮光性インク３２を乾燥させることにより、レンズ境界に入射側遮光層３０が形成される。
【００２４】
ここで、入射側遮光層形成工程におけるテーブルの回転速度を調節することによって、単レンズ１０の光軸方向から見た入射側遮光層３０の範囲を所望の範囲に調節してもよい。例えば、テーブルの回転速度を上げるほど、レンズ境界に残る遮光性インク３２の量が減り、入射側遮光層３０の範囲を狭くすることができる。
【００２５】
出射側遮光層形成工程は公知のセルフアライメント法を用いる。まず、図８Ｂに示すように、基材４０の単レンズ１０と反対側における、単レンズ１０の焦点近傍を含む一面に、未硬化の紫外線硬化性樹脂２４を貼り付ける。そして、図８Ｃに示すように、単レンズ１０のレンズ面から、単レンズ１０の光軸に略平行な紫外光を入射させることにより、単レンズ１０の焦点近傍に位置する紫外線硬化性樹脂２４を選択的に硬化させる。さらに、図８Ｄに示すように、紫外線硬化性樹脂２４の未硬化部分に出射側遮光層２０を形成する。例えば、紫外線硬化性樹脂２４の未硬化部分に選択的に黒色膜又は黒色粉体を付着させることによって出射側遮光層２０を形成する。以上のようにしてフライアイレンズ１００が生産される。
【００２６】
尚、単レンズ１０と遮光性インクの濡れ性を調節することによって、単レンズ１０の光軸方向から見た入射側遮光層３０の範囲を所望の範囲に調節する工程を更に備えてもよい。単レンズ１０と遮光性インクの濡れ性が適正なレベルに保たれていない場合、入射側遮光層３０の範囲を管理することが困難になる。例えば、単レンズ１０と遮光性インクの濡れ性が高すぎる場合、単レンズ１０のレンズ頂点部分まで遮光性インクが広がり、フライアイレンズ１００の透過性が低下する。一方、単レンズ１０と遮光性インクの濡れ性が低すぎる場合、フライアイレンズ１００全体のレンズ境界に遮光性インクを充填することが困難になる。
【００２７】
単レンズ１０と遮光性インクの濡れ性は、例えば以下のようにして調節する。まず、単レンズ１０の濡れ性は、成形後の単レンズ１０の表面に公知のプラズマ処理、コロナ処理、又はオゾン処理を施すことにより向上することができる。この場合、処理時間を変えることにより濡れ性のレベルを調節することができる。また、プラズマ処理及びコロナ処理は、電圧を変更することによっても濡れ性のレベルを調節することができる。オゾン処理に関しては、使用するオゾンの濃度を変更することによって濡れ性のレベルを調節することができる。一方、遮光性インクの濡れ性は、遮光性インクの組成物中にレベリング剤を入れることにより調節することができる。あるいは、溶媒の単レンズ１０の材料に対する溶解性が高い溶媒を遮光性インクの溶媒として用いることによっても、単レンズ１０と遮光性インクの濡れ性を向上させることができる。
【００２８】
以上の生産方法によれば、出射側遮光層形成工程において、入射側遮光層３０がレンズ境界への紫外光の入射を防止するので紫外線硬化性樹脂２４を露光する場合の迷光が低減する。これにより、光軸部分の紫外線硬化性樹脂２４が高いコントラストで露光され、出射側遮光層２０における光透過部分（開口）と遮光部分とのコントラストを高めることができる。
【００２９】
また、入射側遮光層３０がレンズ境界に入射する紫外光を遮蔽するので、紫外線硬化性樹脂２４を露光する紫外光の直径が狭まり、出射側遮光層２０の開口サイズを縮小できる。これにより、出射側遮光層２０の開口率が低下するので外光の反射率が低減される。以上の作用により、映像光のコントラストが高い透過型スクリーンが生産できる。
【００３０】
図９（Ａ、Ｂ、Ｃ、Ｄ）は、フライアイレンズ１００の生産方法の他の例を示す。本実施例は、単レンズ１０を成形する工程において、単レンズ１０のレンズ境界に入射側遮光層３０を雌型から転写する。まず、本実施例におけるフライアイレンズ１００の生産方法は、雌型への遮光剤塗布工程、レンズ成形工程、及び出射側遮光層形成工程を備える。尚、本実施例は、単レンズ１０のレンズ境界が平坦なフライアイレンズ１００を生産する場合に適している。図５に示したフライアイレンズ１００ａはそのようなフライアイレンズ１００の一例である。
【００３１】
まず、図９Ａに示すように、雌型への遮光剤塗布工程において、フライアイレンズ１００を成形する雌型６０におけるレンズ境界を成形する部位、すなわち雌型６０の脱型方向における最外面に遮光剤を塗布する。遮光剤の塗布方法は、例えば雌型６０におけるレンズ境界を成形する部位を、遮光剤を保持するパッド３６に接触させることにより塗布する。パッド３６は、例えばウレタン等、柔軟性のある多孔質物質で構成され、予め遮光剤を含ませておく。遮光剤は、液状、ゲル状、又は粉状である。粉状の遮光剤を用いる場合には、雌型６０に予めオイルなどを薄く噴霧しておくことが好ましい。これにより、遮光剤が雌型６０にムラ無く付着する。雌型６０に遮光剤を塗布する他の実施例として、表面がウレタン等、柔軟性のある多孔質物質で構成されたローラに遮光剤を含ませて、雌型６０の表面でローラを転がしてもよい。塗布した遮光剤を乾燥させることにより、図９Ｂに示すように、雌型６０におけるレンズ境界を成形する部位に、レンズ境界に転写されるべき入射側遮光層３０が準備される。
【００３２】
図９Ｃは、レンズ成形工程を示す。本実施例のレンズ成形工程は、遮光剤が塗布された雌型６０を用いて、基材４０の片面にフライアイレンズ１００を成形する。例えば、遮光剤が塗布された雌型６０に未硬化の紫外線硬化性樹脂１６を充填し、その上に基材４０を載せて紫外線を照射することにより、基材４０の片面に複数の単レンズ１０が成形され、さらに単レンズ１０のレンズ境界に入射側遮光層３０が転写される。この後、硬化したフライアイレンズ１００を脱型することにより、図９Ｄに示すように単レンズ１０のレンズ境界に入射側遮光層３０が形成されたフライアイレンズ１００ができる。この後、出射側遮光層形成工程において出射側遮光層２０が形成される。出射側遮光層形成工程は、図８Ｃ及び図８Ｄを参照して説明した前述の生産方法と同様なので説明を省略する。
【００３３】
本実施例に示したフライアイレンズ１００の生産方法は、図８（Ａ、Ｂ、Ｃ、Ｄ）を参照して説明した実施例と同様の効果を有する。更に、本実施例の生産方法は、入射側遮光層３０の範囲が、雌型６０に塗布される遮光剤の範囲で決まる。ここで、雌型６０に塗布される遮光剤の範囲は、雌型６０の形状でほぼ決定される。従って、入射側遮光層３０の範囲が精度よく管理されるという効果を有する。
【００３４】
以下、フライアイレンズ１００の材料及び生産方法の詳細を説明する。単レンズ１０の材料は、少なくとも可視光を透過する紫外線硬化性樹脂のうちで、屈折率が１．４から１．６５程度の材料を用いる。屈折率が１．４よりも小さい材料を用いた場合、単レンズ１０は十分なレンズパワーを有さず、入射光を適切な角度で拡散することができない。逆に、屈折率が１．６５よりも大きい材料を用いた場合、レンズ形状によっては、単レンズ１０に入射した光が内部反射し、スクリーンとしての透過効率が下がってしまう。
【００３５】
雌型６０の生産方法は、切削機械加工、ガラスのエッチング、フォトリソグラフィー技術、ＭＥＭＳ（マイクロマシン）法など、公知のいかなる手段を用いても良い。この場合、雌型６０は平板状のものであってもよいが、基材４０が可撓性を持つプラスチックフィルム等の場合には、ロール状の雌型を用いてもよい。ロール状の雌型の場合、可撓性をもつ基材４０に対して単レンズ１０を広い面積にわたって連続的に成形できる。これにより、単レンズ１０を効率的に製造することができる。
【００３６】
紫外線硬化性樹脂は、モノマー、プレポリマー、ポリマー、及び光重合開始剤などを含む。紫外線硬化性樹脂の特性は、モノマー、プレポリマー、ポリマー、及び光重合開始剤の成分を変更することにより調整される。モノマー及びプレポリマーは、基本的に少なくとも１個以上の官能基を含有する。光重合開始剤は、紫外線を照射することによりイオンまたはラジカルを発生する。
【００３７】
ここで、官能基とは、ビニル基、カルボキシル基、水酸基などの反応性の原因となる原子団または結合様式をいう。本実施形態の生産方法では、紫外線を照射して樹脂を硬化させるので、紫外線による硬化性に優れたアクリロイル基などのビニル基を有するものを使用することが好ましい。アクリロイル基を有するモノマーは、公知のものから選択する。例えば、２−エチルヘキシルアクリレート、２−ヒドロキシエチルアクリレート、２−ヒドロキシプロピルアクリレート、ジシクロペンテニルアクリレート、及び、１，３−ブタンジオールジアクリレートが挙げられる。他にも、１，４−ブタンジオールジアクリレート、１，６−ヘキサンジオールジアクリレート、ジエチレングリコールジアクリレート、ポリエチレングリコールジアクリレート、及びトリプロピレングリコールジアクリレート等が挙げられる。更に、ジメチロールトリシクロデカンジアクリレートなどの２官能のもの、トリメチロールプロパントリアクリレート、ペンタエリストールトリアクリレート、ジペンタエリストールヘキサアクリレートなどの３官能以上のものが挙げられる。上記モノマーの中でも３官能以下のものが、硬化後の膜硬度がＨＢ以下となり可撓性に優れている点、架橋密度が小さく低体積収縮率のものが多い点、耐カール性に優れている点などから好ましい。
【００３８】
本実施形態では上記モノマーと共に、プレポリマーを併用することが好ましい。本実施形態で使用されるプレポリマーは、ポリエステルアクリレート、エポキシアクリレート、ウレタンアクリレートなどを用いる。低体積収縮、可撓性などの理由から３官能以下、特に２官能または３官能のものを使用することが好ましい。
【００３９】
光重合開始剤は、例えば、アセトフェノン系、ベンゾフェノン系、ミヒラーケトン系、ベンジル系、ベンゾイン系、ベンゾインエーテル系、及びベンジルジメチルケタール系等が挙げられる。他にも、ベンゾインベンゾエート系、α−アシロキシムエステル系等のカルボニル化合物、テトラメチルチウラムモノサルファイド、チオキサントン類等の硫黄化合物、２，４，６−トリメチルベンゾイルジフェニルフォスフィンオキシド等の燐化合物等が挙げられる。これらを単独あるいは２種以上混合して使用する。上記光重合開始剤の添加量は、モノマーおよび／またはプレポリマー成分１００重量部に対して、０．１〜２０重量部、さらには０．５〜１５重量部であることが好ましい。光重合開始剤が範囲未満では硬化性が低くなり、また範囲を超えると硬化後ブリードアウトするという問題が起こるため好ましくない。
【００４０】
また本実施形態においては樹脂組成物の硬化前、硬化中、さらには硬化後の樹脂の特性及び物性、又は硬化膜の特性及び物性を制御する為に、各種添加剤を使用してもよい。ここで硬化前の特性及び物性を制御する物質としては、塗料安定化剤（ゲル化防止、硬化防止）、増粘剤（塗工性向上）などがある。また硬化中の特性を制御する物質としては、光重合促進剤、吸光剤（両者とも硬化挙動の調整）などがある。さらに硬化後の膜特性を制御する物質として、可塑剤（可撓性の向上）、紫外線吸収剤（耐光性付与）などがある。
【００４１】
本実施形態で使用される紫外線硬化性樹脂には、強度、可撓性、耐カール性などの点からポリマーを添加してもよい。ここでポリマーの種類は、公知のポリマー、例えばポリエステル樹脂、アクリル樹脂、ウレタン樹脂、エポキシ樹脂などが挙げられる。
【００４２】
基材４０は、プラスチックシートまたはプラスチックフィルムが好ましく用いられる。基材４０の材質は、アクリル樹脂、メタクリル樹脂、ポリスチレン、ポリエステル、ポリオレフィン、ポリアミド、ポリカーボネート、及びポリエーテル等が挙げられる。あるいは、ポリイミド、ポリエーテルイミド、ポリアミドイミド、ポリエーテルスルホン、マレイミド樹脂、ポリ塩化ビニル、ポリ（メタ）アクリル酸エステル、メラミン樹脂、トリアセチルセルロース樹脂、及びノルボルネン樹脂などであってもよい。さらにこれらの共重合体、ブレンド物、及び架橋したものを用いてもよい。透明性などの光学特性と機械強度のバランスの点からは、ポリエステルフィルム中でも２軸延伸ポリエチレンテレフタレートフィルムが特に好ましい。
【００４３】
前述の単レンズ１０の生産方法は、単レンズ１０のピッチが２００μｍ以下であって、かつ集光点距離が２００μｍ以下であるような、配列ピッチに対する集光点距離が比較的小さいフライアイレンズに適している。特に、単レンズ１０のピッチが１００μｍ以下で、集光点距離が配列ピッチより小さいフライアイレンズシートを精度よく、安定して製造するのに適している。
【００４４】
開口部２２を有する出射側遮光層２０の形成方法は、公知のセルフアライメント法を用いる。セルフアライメント法は、紫外線等のエネルギー線をレンズに入射させ、レンズの集光作用を利用して単レンズ１０の焦点付近を露光する。この場合、露光に用いる紫外線などのエネルギー線の光路と、映像光を透過させる場合の可視光の光路とが、単レンズ１０および基材４０の屈折率波長依存性によってずれる。このずれを補正する手段として、露光に用いる紫外線等を予め一定の角度に拡散させてもよいし、露光光の光軸を単レンズ１０の光軸から±１０度の範囲で揺動させながら露光してもよい。あるいは、これらを同時に実行してもよい。
【００４５】
単レンズ１０の光軸方向に関する出射側遮光層２０の位置は、単レンズ１０の焦点近傍に位置することが好ましい。これにより露光時の光線のコントラストを高めることができる。ここで、単レンズ１０の光軸方向に関する出射側遮光層２０の位置は、基材４０の厚みを変更ことによって容易に精度よく調節できる。従って、出射側遮光層２０における開口部２２のパターンを高いコントラストで露光することができる。
【００４６】
なお、出射側遮光層２０は、主に樹脂で構成される。例えばバインダー樹脂に、フィラー成分を分散させて構成される。フィラー成分は、金属粒子およびその酸化物、又は顔料や染料が用いられる。フィラー成分の色調は、可視光に対して黒色であることが好ましい。これにより、フィラー成分がノイズの原因となる外光を吸収する。可視光に対して黒色の顔料は、例えばカーボンブラック、及びチタンブラック等を用いる。また、染料を用いる場合には耐光性などの点から日光堅牢度が５以上の黒色染料を使用することが好ましい。更に分散性、樹脂との相溶性、汎用性などの観点から、アゾ系の黒色染料を使用するのが最も好ましい。上記顔料及び染料を分散あるいは溶解させるバインダー樹脂は、公知の樹脂例えばアクリル樹脂、ウレタン樹脂、ポリエステル、ノボラック樹脂、ポリイミド、エポキシ樹脂などを用いる。
【００４７】
以上、本実施形態を実施の形態を用いて説明したが、本実施形態の技術的範囲は上記実施の形態に記載の範囲には限定されない。上記実施の形態に、多様な変更または改良を加えることが可能であることが当業者に明らかである。その様な変更または改良を加えた形態も本実施形態の技術的範囲に含まれ得ることが、特許請求の範囲の記載から明らかである。
【図面の簡単な説明】
【００４８】
【図１】本実施形態の一実施形態に係るリアプロジェクションディスプレイ８００の構成を示す図である。
【図２】スクリーン５００の構成を示す断面図である。
【図３】フライアイレンズ１００の構成の一例を示す断面図である。
【図４】入射側遮光層３０の断面形状の他の例を示す図である。
【図５】フライアイレンズ１００ａの入射側遮光層３０の平面形状を示す図である。
【図６】フライアイレンズ１００ｂの入射側遮光層３０の平面形状を示す図である。
【図７】図６に示したフライアイレンズ１００ｂの斜視図である。
【図８】フライアイレンズ１００の生産方法の一例を示す図である。
【図９】フライアイレンズ１００の生産方法の他の例を示す図である。
【符号の説明】
【００４９】
１０  単レンズ
１４  側壁
１６  未硬化の紫外線硬化性樹脂
２０  出射側遮光層
２２  開口部
２４  紫外線硬化性樹脂
３０  入射側遮光層
３２  遮光性インク
３４  ディスペンサ
３６  パッド
４０  基材
６０  雌型
１００  フライアイレンズ
２００  フレネルレンズ
３００  前面板
５００  スクリーン
６００  鏡
７００  光学エンジン
８００  リアプロジェクションディスプレイ
【図１】
2006163263.tif 000003
【図２】
2006163263.tif 000004
【図３】
2006163263.tif 000005
【図４】
2006163263.tif 000006
【図５】
2006163263.tif 000007
【図６】
2006163263.tif 000008
【図７】
2006163263.tif 000009
【図８】
2006163263.tif 000010
【図９】
2006163263.tif 000011